(57)【特許請求の範囲】
【請求項１】
土表面に沿って移動する移動体に取り付けられ、土表面に接触して移動することで土表面を均す土均し装置であって、
土表面に接触する接触部を有する接触手段と、
接触部の高さが変化するように移動体に対して接触手段を直線又は曲線に沿って移動可能になるように接触手段に接触して支持する移動可能支持部を含み、少なくとも２以上の土表面に対する接触部の高さにおいて接触手段を支持する支持手段と、を備えてなり、
接触手段が、直線に略沿った縁部である第１縁部を接触部として有してなる平板部材たる均し板を含んでなり、
移動可能支持部は、第１縁部が略沿った該直線に対して垂直方向への成分と、該平板部材の主表面に沿った方向への成分と、の両成分を有する方向に均し板をスライド自在に支持するものであり、
均し板の主表面に対して垂直な方向から見て、均し板の主表面と少なくとも一部の主表面が重なるように移動可能支持部に直接的又は間接的に取り付けられるか又は移動可能支持部を構成する固定板を有し、
固定板に対して均し板が相対的に移動することで、均し板の主表面と固定板の主表面とが摺動するものであり、
固定板に対して均し板がスライド移動する方向に均し板と固定板とのうち一方から他方に向かって突出し該他方と摺動する部分と、該他方から該一方に向かって突出し該一方と摺動する部分と、の両方が形成されたものである、土均し装置。
【請求項２】
均し板が、互いに略平行な一対の第２縁部及び第３縁部を有してなり、
移動可能支持部は、第２縁部をスライド自在に支持する一方部材と、一方部材に対する第２縁部のスライド方向と略平行方向に第３縁部をスライド自在に支持する他方部材と、一方部材と他方部材とを連結する連結部材と、を含んでなるものである、請求項１に記載の土均し装置。
【請求項３】
土表面に沿って移動する移動体に取り付けられ、土表面に接触して移動することで土表面を均す土均し装置であって、
土表面に接触する接触部を有する接触手段と、
接触部の高さが変化するように移動体に対して接触手段を直線又は曲線に沿って移動可能になるように接触手段に接触して支持する移動可能支持部を含み、少なくとも２以上の土表面に対する接触部の高さにおいて接触手段を支持する支持手段と、を備えてなり、
接触手段が、直線に略沿った縁部である第１縁部を接触部として有すると共に互いに略平行な一対の第２縁部及び第３縁部を有してなる平板部材たる均し板を含んでなり、
移動可能支持部は、第２縁部をスライド自在に支持する一方部材と、一方部材に対する第２縁部のスライド方向と略平行方向に第３縁部をスライド自在に支持する他方部材と、一方部材と他方部材とを連結する連結部材と、を含んでなり、第１縁部が略沿った該直線に対して垂直方向への成分と、該平板部材の主表面に沿った方向への成分と、の両成分を有する方向に均し板をスライド自在に支持するものであり、
一方部材が、第２縁部をスライド自在に嵌入でき第２縁部に沿って連続した嵌入溝を有すると共に、
他方部材が、第３縁部をスライド自在に嵌入でき第３縁部に沿って連続した嵌入溝を有するものである、土均し装置。
【請求項４】
接触手段を前記直線又は前記曲線に沿って移動させる駆動手段を有してなる、請求項１乃至３のいずれか１に記載の土均し装置。
【請求項５】
駆動手段が手動ジャッキを含む、請求項４に記載の土均し装置。
【請求項６】
移動可能支持部に対する接触部の相対的位置を直接的又は間接的に示す位置表示手段を有するものである、請求項１乃至５のいずれか１に記載の土均し装置。
【請求項７】
土表面に沿って移動する移動体に取り付けられ、土表面に接触して移動することで土表面を均す土均し装置であって、
土表面に接触する接触部を有する接触手段と、
少なくとも２以上の土表面に対する接触部の高さにおいて接触手段を支持する支持手段と、を備えてなり、
支持手段は、接触部の高さが変化するように移動体に対して接触手段を直線又は曲線に沿って移動可能になるように接触手段に接触して支持する移動可能支持部と、接触手段の接触部の土表面に対する高さが最も低くなるような移動可能支持部に対する位置に接触手段が存する状態を含む土均し作業状態において移動可能支持部を移動体に対して回動可能に支持し、接触部の土表面からの高さが変化するように接触手段を移動体に対して回動可能に支持する回動可能支持部と、を含んでなり、
該回動位置を調節することで該高さを調節するものである、土均し装置。
【請求項８】
接触部が直線に略沿っており、
回動可能支持部が、接触部が略沿う該直線に略平行な回動軸の周りに接触手段を回動可能に支持するものである、請求項７に記載の土均し装置。
【請求項９】
回動可能支持部により回動可能に支持される接触手段を回動させる回動手段を有してなる、請求項７又は８に記載の土均し装置。
【請求項１０】
回動手段が伸縮装置を含む、請求項９に記載の土均し装置。
【請求項１１】
前記移動体が農業用トラクター本体である、請求項１乃至１０のいずれか１に記載の土均し装置。
【請求項１２】
前記移動体が前後移動可能なものであり、
請求項１乃至１１のいずれか１に記載の土均し装置と、該土均し装置が前方に取り付けられた前記移動体と、を含んでなる、土均し移動体。
【請求項１３】
前記移動体が、前方を目視する運転者により操作されるものであり、
接触部を土表面に接触させた状態で、移動体を後進させるものである、請求項１２に記載の土均し移動体を用いた土均し方法。
【発明の詳細な説明】
【技術分野】
【０００１】
本発明は、土均し装置に関し、より詳細には、土表面に沿って移動する移動体に取り付けられ、土表面に接触して該移動体の移動に伴って移動することで土表面を均す土均し装置に関する。
【背景技術】
【０００２】
土均し装置は、これまでも用いられてきた（例えば、特許文献１参照）。
特許文献１には、農業分野において用いられる「田の泥土面を平坦に均すのに用いて便利な土均し用具」（特許文献１、明細書第１頁第１０〜１１行）が開示されており、具体的には「長方形状の土受板の下縁部に土を掻き均す凹凸状の掻き均し歯を形成し、この土受板の左右に土を土受板の前側に導入する土導入板を突設し、土受板の上部にトラクタ側に連結する連結部材を付設したことを特徴とする土均し用具」（特許文献１、実用新案登録請求の範囲）が記載されている。かかる特許文献１の土均し用具によれば、「トラクタ（４）に連結部材（５）を連結して本用具を凹凸のある泥土面に引動すれば、土受板（１）の下縁部に形成された掻き均し歯（２）が盛り上がった土を削り取って泥土面の凹部に運び落し、泥土面を平坦に均すことになるが、この掻き均し歯（２）は凹凸状であるから盛り上がった土をその裾野付近から削り取ることになり、泥土面が良好に掻き均されることになる。又、この土受板（１）の左右には土導入板（３）が突設されているから土受板（１）の前側にある盛り上がった土の全部が土受板（１）の前側に導びかれるとともに、土受板（１）の左右側部に土がこぼれ出すこともなくなるため土受板（１）の全幅にわたる泥土面が平坦に掻き均され、かつまた土受板（１）の左右側部に土の盛り上がりを残すこともなくなり、泥土面をきわめて良好に掻き均すことが可能となるなど幾多の優れた実用上の効果を奏する」（特許文献１、明細書第４頁第１行〜第５頁第２行）というものである。
【先行技術文献】
【特許文献】
【０００３】
【特許文献１】実開昭６０−１８２７０３号公報（例えば、実用新案登録請求の範囲、明細書第１頁第１０行〜第２頁第５行、第４頁第１行〜第５頁第３行、第１図、第２図等）
【発明の概要】
【発明が解決しようとする課題】
【０００４】
特許文献１に開示の土均し用具（本発明にいう土均し装置）においては、上述の如く、泥土面を均すことができるが、その均される土表面のトラクタ（４）（本発明にいう移動体）に対する高さは、土均し用具（本発明にいう土均し装置）の重さとトラクタ（４）（本発明にいう移動体）の速度等により変化するため、移動体に対して所望の高さに土均しすることは容易ではなかった。
そこで、本発明では、移動体に対して所望の高さに容易に土均しすることができる土均し装置を提供することを目的とする。
【課題を解決するための手段】
【０００５】
本発明の土均し装置（以下「本装置」という。）は、土表面に沿って移動する移動体に取り付けられ、土表面に接触して移動することで土表面を均す土均し装置であって、土表面に接触する接触部を有する接触手段と、少なくとも２以上の土表面に対する接触部の高さにおいて接触手段を支持する支持手段と、を備えてなる、土均し装置である。
本装置は、土表面に沿って移動する移動体に取り付けられた状態で、該移動体が移動することにより、土表面に接触して移動することで土表面を均す土均し装置である。移動体としては、土表面に沿って移動するものであれば何ら限定されるものではなく、農業用トラクター、自動車（２輪、３輪、４輪・・・等のように車輪数は制限されない。）、自転車、原動機付き自転車、手押し車、スノーモービル等を例示できる。
本装置は、接触手段と、支持手段と、を備えてなる。
接触手段は、土表面に接触する接触部を有する。この接触部が、土表面に接触した状態で移動することで土表面を均す。
支持手段は、接触手段を支持するものであり、土表面に対する接触部の高さが異なる（少なくとも２以上の高さ）状態で接触手段を支持する。
これによって、少なくとも２以上の土表面に対する接触部の高さを取り得ることから、該少なくとも２以上の高さから所望の高さに近いものを選択することにより、本装置により所望の高さに容易に土均しできる。なお、土表面に対する接触部の高さは、多くのものを取り得る方が所望の高さにより近いものとすることができ、連続的に変化可能にすれば所望の高さに完全に一致させることができる可能性が増加する。
【０００６】
本装置においては、支持手段は、接触部の高さが変化するように移動体に対して接触手段を直線又は曲線に沿って移動可能になるように接触手段に接触して支持する移動可能支持部を含んでなるもの（以下「移動可能支持部本装置」という。）であってもよい。
このように支持手段が移動可能支持部を含むことで、移動体に対して接触手段を直線又は曲線に沿って移動可能な状態（この移動により土表面に対する接触部の高さを変化させることができる。）で移動可能支持部が接触手段に接触して接触手段を支持する。このため移動可能支持部が接触手段を接触した状態で移動可能に支持することから、移動可能支持部を簡単に構成できると共に確実に接触手段を支持できる。
【０００７】
移動可能支持部本装置においては、接触手段が、直線に略沿った縁部である第１縁部を接触部として有してなる平板部材たる均し板を含んでなり、移動可能支持部は、第１縁部が略沿った該直線に対して垂直方向への成分と、該平板部材の主表面に沿った方向への成分と、の両成分を有する方向に均し板をスライド自在に支持するもの（以下「スライド支持本装置」という。）であってもよい。
この場合、接触手段が平板部材たる均し板を含み、均し板が、第１縁部を接触部として有する。第１縁部は、直線に沿った真っ直ぐなものである。そして、移動可能支持部は均し板をスライド自在に支持し、このスライド方向は、第１縁部が略沿った該直線に対して垂直方向への成分と、均し板を構成する該平板部材の主表面に沿った方向への成分と、の両成分を有する方向である。こうすることで該直線に沿った第１縁部を先縁として、均し板をスライドさせ進退させることができるので、土表面に対する接触部たる第１縁部の高さの方向（第１縁部から土表面に下ろした垂線に沿った方向）の成分をスライド方向が含むようにすれば、接触部たる第１縁部の土表面に対する高さをうまく変化させることができる。
【０００８】
スライド支持本装置においては、均し板が、互いに略平行な一対の第２縁部及び第３縁部を有してなり、移動可能支持部は、第２縁部をスライド自在に支持する一方部材と、一方部材に対する第２縁部のスライド方向と略平行方向に第３縁部をスライド自在に支持する他方部材と、一方部材と他方部材とを連結する連結部材と、を含んでなるものであってもよい。
均し板が、互いに略平行な一対の第２縁部及び第３縁部を有すると共に、移動可能支持部が、一方部材と、他方部材と、一方部材と他方部材とを連結する連結部材と、を含む。そして、一方部材は第２縁部をスライド自在に支持し、他方部材は第３縁部をスライド自在に支持し、他方部材が第３縁部をスライド自在に支持するスライド方向は、一方部材に対する第２縁部のスライド方向と略平行方向である。これによって一方部材と他方部材と連結部材という簡単な構成により、第１縁部を先縁として均し板をスライドさせ進退させることができる。
また、一方部材が第２縁部をスライド自在に支持する方法としては、第２縁部をスライド自在に嵌入できる嵌入溝を一方部材に形成したり（第２縁部を該嵌入溝に嵌入する。）、一方部材に突部を形成すると共に第２縁部に該突起をスライド自在に嵌入できる嵌入溝を設けること等を例示できる。同様に、他方部材が第３縁部をスライド自在に支持する方法としては、第３縁部をスライド自在に嵌入できる嵌入溝を他方部材に形成したり（第３縁部を該嵌入溝に嵌入する。）、他方部材に突部を形成すると共に第３縁部に該突起をスライド自在に嵌入できる嵌入溝を設けること等を例示できる。
【０００９】
スライド支持本装置においては、均し板の主表面に対して垂直な方向から見て、均し板の主表面と少なくとも一部の主表面が重なるように移動可能支持部に直接的又は間接的に取り付けられるか又は移動可能支持部を構成する固定板を有するものであってもよい。
このようにスライド移動する均し板と、均し板の主表面と少なくとも一部の主表面が重なる固定板と、を用いることで、均し板の主表面に対して垂直な方向から見たときに両板が重なるようにすれば両板をコンパクトにすることができ、さらに均し板の主表面と固定板の主表面とが当接することで均し板を補強することもできる。
【００１０】
移動可能支持部本装置においては、接触手段を前記直線又は前記曲線に沿って移動させる駆動手段を有してなるもの（以下「駆動手段本装置」という。）であってもよい。
移動可能支持部本装置において接触手段を前記直線又は前記曲線に沿って移動させる方法としては、人が接触手段を手で把持して移動（所望の位置まで移動させた後にピン等の固定手段で固定する。）させてもよいが、機械的に接触手段を移動させる駆動手段によれば本装置の使用を便ならしめることができる。かかる駆動手段としては、ジャッキやアクチュエータ（手動、電動、前記移動体の動力を用いるもの、いずれも含む。）等を例示できる。
【００１１】
駆動手段本装置においては、駆動手段が手動ジャッキを含むものであってもよい。
駆動手段が手動ジャッキを含み、この手動ジャッキにより接触手段を移動させることによって、駆動手段を簡易に構成でき、本装置の製造コストを低減させることができる。
【００１２】
移動可能支持部本装置においては、移動可能支持部に対する接触部の相対的位置を直接的又は間接的に示す位置表示手段を有するものであってもよい。
移動可能支持部は、接触部の高さが変化するように移動体に対して接触手段を直線又は曲線に沿って移動可能になるように接触手段に接触して支持するので、移動可能支持部に対する接触部の相対的位置を直接的又は間接的に示す位置表示手段を有するようにすれば、該示される相対的位置に基づき接触部の高さを直接的又は間接的に知ることができる。これによって所望の接触部の高さとなるように、移動可能支持部に対する接触部の相対的位置を的確かつ容易に調整できる。
【００１３】
本装置においては、支持手段は、接触部の土表面からの高さが変化するように接触手段を移動体に対して回動可能に支持する回動可能支持部を含んでなるもの（以下「第１回動可能支持部本装置」という。）であってもよい。
このように支持手段が回動可能支持部を含むことで、移動体に対して接触手段を回動可能な状態（この回動により土表面に対する接触部の高さを変化させることができる。）で回動可能支持部が接触手段を支持する。このように回動可能支持部が接触手段を移動体に対して回動可能に支持するという簡単な構成により、確実に接触手段を支持し、接触部の土表面からの高さを変化させることができる。
【００１４】
移動可能支持部本装置においては、支持手段は、接触部の土表面からの高さが変化するように接触手段を移動体に対して回動可能に支持する回動可能支持部を含んでなり、回動可能支持部は、移動可能支持部を移動体に対して回動可能に支持するもの（以下「第２回動可能支持部本装置」という。第１回動可能支持部本装置と第２回動可能支持部本装置とを合わせて回動可能支持部本装置という。）であってもよい。
第１回動可能支持部本装置においては、回動可能支持部は、移動可能支持部本装置における移動可能支持部を移動体に対して回動可能に支持するもの（第２回動可能支持部本装置）であってもよい。
こうすることで接触部の高さが変化するように移動体に対して接触手段を直線又は曲線に沿って移動可能になるように接触手段に接触して支持する移動可能支持部を回動可能支持部が移動体に対して回動可能に支持するので、移動可能支持部により移動体に対して接触手段が直線又は曲線に沿って移動することと、回動可能支持部により移動体に対して移動可能支持部が回動すること、との両方により接触部の土表面からの高さを調節できるので、本装置の使用環境や使用状態等に応じてより簡単かつ的確に高さを調節できる（該移動と該回動とのどちらか一方又は両方により高さ調整することができ、高さ調整をより柔軟に行うことができる。）。
【００１５】
回動可能支持部本装置においては、接触部が直線に略沿っており、回動可能支持部が、接触部が略沿う該直線に略平行な回動軸の周りに接触手段を回動可能に支持するものであってもよい。
こうすることで、直線に沿っている接触部が、接触部が略沿う該直線に略平行な回動軸の周りに回動されることから、１の回動位置において、略水平に接触部が沿うようにすれば、該回動軸の周りに接触手段を回動させて高さを変化させても土表面を常に略水平に保つことができる。
【００１６】
回動可能支持部本装置においては、回動可能支持部により回動可能に支持される接触手段を回動させる回動手段を有してなるもの（以下「回動手段本装置」という。）であってもよい。
回動可能支持部本装置において接触手段を移動体に対して回動させる方法としては、人が接触手段を手で把持して回動（所望の位置まで回動させた後にピン等の固定手段で固定する。）させてもよいが、機械的に接触手段を回動させる回動手段によれば本装置の使用を便ならしめることができる。かかる回動手段としては、アクチュエータ（手動、電動、前記移動体の動力を用いるもの、いずれも含む。）、伸縮装置、回転装置等を例示できる。
【００１７】
回動手段本装置においては、回動手段が伸縮装置を含むものであってもよい。
回動手段が伸縮装置を含み、この伸縮によって接触手段を移動体に対して回動させることによって、回動手段を簡易に構成でき、本装置の製造コストを低減させることができる。
【００１８】
本装置においては、前記移動体が農業用トラクター本体であってもよい。
稲、野菜及び果物等の農作物を生産する農場においては、農作物を作付する際に農場を土均しする必要が生じる。かかる土均し作業には、通常、農業用トラクターが用いられてきた。このとき特許文献１に開示の土均し用具のようなものを用いれば、均される土表面の高さ調節が難しく農作業の妨げになることがあったが、本装置を農業用トラクター本体に取り付けることで、均される土表面の高さをうまく調節して農場の土均し作業を容易かつ的確に行うことができる。
【００１９】
本発明は、本装置を含む土均し移動体（以下「本移動体」という。）を提供する。
本移動体は、本装置が取り付けられる前記移動体が前後移動可能なものであり、本装置と、本装置が前方に取り付けられた前記移動体と、を含んでなる、土均し移動体である。
本装置が取り付けられる前記移動体が前後移動可能であり、この前後移動可能な前記移動体の前方に本装置が取り付けられることで、通常、観察し易い前方に本装置が配設されるので、本装置による土均し作業の状況を的確に把握しながら土均し作業を確実かつ容易に行うことができる。
【００２０】
本発明は、本移動体を用いた土均し方法（以下「本方法」という。）を提供する。
本方法は、前記移動体が、前方を目視する運転者により操作されるものであり、接触部を土表面に接触させた状態で、移動体を後進させるものである、本移動体を用いた土均し方法である。
本装置が取り付けられる前記移動体が、前方を目視する運転者により操作されるものであるので、土均しすべき範囲の外縁近く（例えば、田んぼの外縁である畦の近く）についても、前記移動体を移動させ、該外縁近くに本装置を位置させ接触部を土表面に接触させ、そこから前記移動体を後退させることによって、本装置による土均し作業の状況を的確に把握しつつ該作業を行うことができる。
【図面の簡単な説明】
【００２１】
【図１】本発明の一実施形態に係る土均し装置（本装置）が農業用のトラクタ本体に取り付けられて構成される農業用のトラクタを示す図（一部省略）である。
【図２】本装置の右側面図である。
【図３】本装置を、図２中の矢印Ａ方向から見たところを示す図である。
【図４】図４（ａ）は図２中のＢ−Ｂ断面図であり、図４（ｂ）は図２中のＣ−Ｃ断面図である。
【図５】図３に示した本装置からジャッキ、移動板及び目盛板を取り外した状態の図である。
【図６】図５のＤ−Ｄ断面図である。
【図７】移動板の正面図である。
【図８】図３のＤ−Ｄ断面図（一部省略）である。
【図９】図８のＦ−Ｆ断面図（一部省略）である。
【図１０】図３のＥ−Ｅ断面図である。
【図１１】第１縦部材を示す図である。
【図１２】第２縦部材を示す図である。
【図１３】本装置が農業用トラクタ本体に取り付けられた農業用のトラクタの使用方法を説明する図である。
【図１４】図３に示す状態から移動板を移動させた状態を示す図である。
【図１５】図１４のＦ−Ｆ断面図である。
【図１６】本装置が農業用トラクタ本体に取り付けられた農業用のトラクタの使用方法（縁と縁とが合わさる隅部分に集まり高くなった土を、本装置が農業用トラクタ本体に取り付けられた農業用のトラクタにより移動させて均す方法）を説明する図である。
【発明を実施するための形態】
【００２２】
以下、本発明の実施の形態を図面を参照して説明する。しかしながら、これらによって本発明は何ら制限されるものではない。
【００２３】
図１は、本発明の一実施形態に係る土均し装置（本装置）１１が農業用のトラクタ本体１０１の前方に取り付けられて構成される農業用のトラクタ２０１を示す図である。図１を参照して、トラクタ２０１について説明する。
トラクタ２０１は、トラクタ本体１０１と、トラクタ本体１０１の前端に取り付けられた本装置１１と、を含んでなる。
【００２４】
トラクタ本体１０１は、車体１０７と、車体１０７に回転自在に取り付けられた一対の前輪１０３（図１には右前輪のみが現れる。）と、車体１０７に回転自在に取り付けられた一対の後輪１０５（図１には右後輪のみが現れる。）と、車体１０７に配設された座席１０９と、車体１０７に取り付けられたエンジン収納部１１３と、を有してなり、従来のトラクタと同様、図示しない運転手が座席１０９に着座し、ハンドル１１５（一対の前輪１０３の方向を変化させる。）、ペダル１１７（アクセルやブレーキ）及びレバー１１９（変速、前進後退の切り替え）等を操作することで、トラクタ本体１０１を左右前後に自由に移動させることができる。なお、前方向（直進方向）を図１中の矢印Ｆにて示し、後方向を図１中の矢印Ｂにて示す。
【００２５】
次いで本装置１１について詳しく説明する。図２は、本装置１１の右側面図（図１とほぼ同じ方向から見ており、後述の本体部５１が略鉛直方向に垂下した状態を示している。）であり、図３は、本装置１１を図２中の矢印Ａ方向から見たところを示しており（前方から見たところを示す。）、図４（ａ）は図２中のＢ−Ｂ断面図（図示及び理解を容易にするため、後述のジャッキ７１は構造の図示を省略し長方形により示している。かかる点は図４（ｂ）においても同様である。）であり、図４（ｂ）は図２中のＣ−Ｃ断面図であり、図５は、図３に示した本装置１１からジャッキ７１、移動板６５及び目盛板５８を取り外した状態の図であり、図６は図５のＤ−Ｄ断面図であり、図７は移動板６５の正面図（図３と同じ方向から移動板６５を見たところを示している。）であり、図８は図３のＤ−Ｄ断面図（一部省略）であり、図９は図８のＦ−Ｆ断面図（一部省略）であり、そして図１０は図３のＥ−Ｅ断面図である。図１乃至図１０を参照して、本装置１１について説明する。
以降、互いに直交する３軸であるＸ軸、Ｙ軸及びＺ軸を用いて説明し、これらＸ軸、Ｙ軸及びＺ軸の方向を図中にＸ、Ｙ及びＺとして示す。Ｚ軸は、後述する第１縦部材５７の長手方向及び第２縦部材５９の長手方向（これら両長手方向は互いに略平行である。）に平行である。
【００２６】
本装置１１は、トラクタ本体１０１が有するフレーム１２１の前端１２１ａに取り付けられる取付部２１と、本体部５１と、取付部２１と本体部５１とを回動自在に取り付ける連結部３１と、フレーム１２１と本体部５１との間に取り付けられる駆動部４１と、を含んでなる。
【００２７】
取付部２１は、フレーム１２１の前端１２１ａに取り付けられる棒状部材２５と、フレーム１２１の前端１２１ａと棒状部材２５の上面とに取り付けられる等辺山形鋼２３と、を含んでなる。棒状部材２５は、Ｙ軸に対して垂直な平面による断面がいずれも同じ略長方形をなす鋼製の角柱（中空）により形成されており、長手方向がＹ軸に平行に配設され、該角柱の４の側面のうち１の側面がフレーム１２１の前端１２１ａに取り付けられると共に、該１の側面に隣接する１の側面（上面）が等辺山形鋼２３の下面に取り付けられている。等辺山形鋼２３は、いわゆる「Ｌ字アングル」等と呼ばれる形鋼により形成され、Ｙ軸に対して垂直な平面による断面はいずれも同じアルファベットの「Ｌ」の字に似た鋼製の部材により形成されており、長手方向がＹ軸に平行に配設されている。等辺山形鋼２３の２の外面のうち１の外面がフレーム１２１の前端１２１ａに取り付けられると共に、上述のように他の１の外面（下面）が棒状部材２５の上面に取り付けられている。このように等辺山形鋼２３をＹ軸方向に沿って配設することで、Ｙ軸に対して垂直方向への取付部２１の強度を向上させることができる。なお、フレーム１２１の前端１２１ａと棒状部材２５及び等辺山形鋼２３とは、図示しないボルトにより取り付けられている。
【００２８】
本体部５１は、両主表面が長方形状をなす板状部材の下縁の中心部分を長方形状に切り欠いた固定板５３（該両主表面の間に存する一対の縁部がＺ軸に平行であると共に、別の１の縁部（上縁）がＹ軸に平行である。）と、固定板５３のＺ軸に平行な一対の縁部の一方の縁部５３ｃ１に沿って固定板５３に取り付けられる第１縦部材５７と、該一対の縁部の他方の縁部５３ｃ２に沿って固定板５３に取り付けられる第２縦部材５９と、第１縦部材５７の内面に第１縦部材５７の長手方向と平行（Ｚ軸に平行）に取り付けられた第１ガイド部材６１と、第２縦部材５９の内面に第２縦部材５９の長手方向と平行（Ｚ軸に平行）に取り付けられた第２ガイド部材６３と、第１ガイド部材６１及び第２ガイド部材６３と固定板５３との間でＺ軸方向にスライド自在に配設された移動板６５と、第１縦部材５７と第２縦部材５９とに取り付けられ等辺山形鋼により形成される横部材５５と、移動板６５の下端を支持し移動板６５をＺ軸方向に移動させるジャッキ７１と、を含んでなる。
【００２９】
固定板５３は、両主表面が長方形状をなす平板部材の下縁の中心部分に長方形状の切欠部分５３ｅを切り欠くことで一端垂下部５３ａ１及び他端垂下部５３ａ２が形成されている（特に図５参照）。該平板部材の互いに略平行な２の縁部のうち１の縁部５３ｃ１（Ｚ軸に略平行）は第１縦部材５７に取り付けられると共に、該２の縁部のうち他の１の縁部５３ｃ２（Ｚ軸に略平行）は第２縦部材５９に取り付けられている（特に図４、図６及び図８を参照）。これによって固定板５３と第１縦部材５７と第２縦部材５９とにより、前面に開口８１が形成された無蓋無底の箱形状が形成される。固定板５３の両主表面のうち表面５３ｆ１及び裏面５３ｆ２はいずれも平面に沿うと共に、Ｘ軸に対して略垂直である。
【００３０】
第１縦部材５７は、図１１に示したような溝形鋼により形成されており、詳細には、図１１（ａ）は、第１縦部材５７をＹ軸に沿って第２縦部材５９側から見たところを示し、図１１（ｂ）は図１１（ａ）のＪ１−Ｊ１断面図であり、図１１（ｃ）は図１１（ａ）のＪ２−Ｊ２断面図である。第１縦部材５７は、長手方向（図１１（ａ）中の矢印Ｌ。Ｚ軸に平行。）に真っ直ぐな鋼製の棒状部材であり、第１縦部材５７の下部Ｑ１（下端５７ｂから上端５７ａに向けて所定の範囲）は溝形鋼（チャンネル）を構成する（下部Ｑ１は、該長手方向Ｌに対して垂直ないずれの平面による断面形状も図１１（ｂ）に示すものと同じ。）と共に、第１縦部材５７の上部Ｑ２（上端５７ａから下端５７ｂに向けて所定の範囲）は等辺山形鋼（Ｌ字アングル）を構成している（上部Ｑ２は、該長手方向Ｌに対して垂直ないずれの平面による断面形状も図１１（ｃ）に示すものと同じ。）。第１縦部材５７は、下部Ｑ１の溝５７ｄの底面５７ｄｆを表面が形成する帯状の底部材５７ｐ１と、該長手方向Ｌに沿った底部材５７ｐ１の一縁に沿って底部材５７ｐ１に垂直に取り付けられた帯状の第１側部材５７ｐ２と、該長手方向Ｌに沿った底部材５７ｐ１の他縁に沿って底部材５７ｐ１に垂直に取り付けられた帯状の第２側部材５７ｐ３と、を有してなり、これら底部材５７ｐ１と第１側部材５７ｐ２と第２側部材５７ｐ３とが一体として第１縦部材５７を構成している。なお、第２側部材５７ｐ３は下部Ｑ１には存するが、上部Ｑ２には存しない。第１側部材５７ｐ２の表面（溝５７ｄを規定する）である第１表面５７ｐ２ｓは底面５７ｄｆに対して略垂直をなし、第２側部材５７ｐ３の表面（溝５７ｄを規定する）である第２表面５７ｐ３ｓは底面５７ｄｆに対して略垂直をなし、そして第１表面５７ｐ２ｓと第２表面５７ｐ３ｓとは略平行をなす。
第１縦部材５７は、第１表面５７ｐ２ｓが、固定板５３の裏面５３ｆ２に当接すると共に、底面５７ｄｆが縁部５３ｃ１（Ｚ軸に略平行）に当接するように、第１縦部材５７はその長手方向がＺ軸に略平行になるように固定板５３に取り付けられている（ここでは溶接）。
【００３１】
第２縦部材５９は、図１２に示したような溝形鋼により形成されており、詳細には、図１２（ａ）は、第２縦部材５９をＹ軸に沿って第１縦部材５７側から見たところを示し、図１２（ｂ）は図１２（ａ）のＫ１−Ｋ１断面図であり、図１２（ｃ）は図１２（ａ）のＫ２−Ｋ２断面図である。第２縦部材５９は、長手方向（図１２（ａ）中の矢印Ｌ。Ｚ軸に平行。）に真っ直ぐな鋼製の棒状部材であり、第２縦部材５９の下部Ｑ３（下端５９ｂから上端５９ａに向けて所定の範囲）は溝形鋼（チャンネル）を構成する（下部Ｑ３は、該長手方向Ｌに対して垂直ないずれの平面による断面形状も図１２（ｂ）に示すものと同じ。）と共に、第２縦部材５９の上部Ｑ４（上端５９ａから下端５９ｂに向けて所定の範囲）は等辺山形鋼（Ｌ字アングル）を構成している（上部Ｑ４は、該長手方向Ｌに対して垂直ないずれの平面による断面形状も図１２（ｃ）に示すものと同じ。）。第２縦部材５９は、下部Ｑ３の溝５９ｄの底面５９ｄｆを表面が形成する帯状の底部材５９ｐ１と、該長手方向Ｌに沿った底部材５９ｐ１の一縁に沿って底部材５９ｐ１に垂直に取り付けられた帯状の第１側部材５９ｐ２と、該長手方向Ｌに沿った底部材５９ｐ１の他縁に沿って底部材５９ｐ１に垂直に取り付けられた帯状の第２側部材５９ｐ３と、を有してなり、これら底部材５９ｐ１と第１側部材５９ｐ２と第２側部材５９ｐ３とが一体として第２縦部材５９を構成している。なお、第２側部材５９ｐ３は下部Ｑ３には存するが、上部Ｑ４には存しない。第１側部材５９ｐ２の表面（溝５９ｄを規定する）である第１表面５９ｐ２ｓは底面５９ｄｆに対して略垂直をなし、第２側部材５９ｐ３の表面（溝５９ｄを規定する）である第２表面５９ｐ３ｓは底面５９ｄｆに対して略垂直をなし、そして第１表面５９ｐ２ｓと第２表面５９ｐ３ｓとは略平行をなす。
第２縦部材５９は、第１表面５９ｐ２ｓが、固定板５３の裏面５３ｆ２に当接すると共に、底面５９ｄｆが縁部５３ｃ２（Ｚ軸に略平行）に当接するように、第２縦部材５９はその長手方向がＺ軸に略平行になるように固定板５３に取り付けられている（ここでは溶接）。
なお、第１縦部材５７及び第２縦部材５９は、第１縦部材５７と第２縦部材５９との真ん中に存するＹ軸に垂直な平面に対して面対称になるように配設され、第１縦部材５７の下端５７ｂと、第２縦部材５９の下端５９ｂと、は、Ｚ軸に対して垂直な同一平面Ｐに属する。
【００３２】
第１ガイド部材６１は、いわゆる「Ｌ字アングル」等と呼ばれる等辺山形鋼により形成され、第１ガイド部材６１の長手方向が第１縦部材５７の長手方向と略平行になるように、第１ガイド部材６１の外面のうち１の外面が、第１縦部材５７の底面５７ｄｆに取り付けられている（ここでは図示しないボルト留め）。そして、第１ガイド部材６１の外面のうち他の１の外面６１ｆ（図６参照）と、固定板５３の両主表面のうち表面５３ｆ１（平面に沿っている）と、は互いに略平行になっている。外面６１ｆと表面５３ｆ１との間の隙間６２は、外面６１ｆと表面５３ｆ１とに挟まれた移動板６５がＺ軸方向に自由にスライドできる程度にされている。
第２ガイド部材６３は、いわゆる「Ｌ字アングル」等と呼ばれる等辺山形鋼（第１ガイド部材６１を構成するものと同一のもの）により形成され、第２ガイド部材６３の長手方向が第２縦部材５９の長手方向と略平行になるように、第２ガイド部材６３の外面のうち１の外面が、第２縦部材５９の底面５９ｄｆに取り付けられている（ここでは図示しないボルト留め）。そして、第２ガイド部材６３の外面のうち他の１の外面６３ｆ（図６参照）と、固定板５３の両主表面のうち表面５３ｆ１（平面に沿っている）と、は互いに略平行になっている。外面６３ｆと表面５３ｆ１との間の隙間６４は、外面６３ｆと表面５３ｆ１とに挟まれた移動板６５がＺ軸方向に自由にスライドできる程度にされている。
【００３３】
移動板６５は、両主表面が長方形状をなす平板部材の上縁の中心部分に長方形状の切欠部分６５ｅを切り欠くことで一端立上部６５ａ１及び他端立上部６５ａ２が形成されている（特に図７参照）。該平板部材の互いに略平行な２の縁部のうちの１の縁部６５ｃ１（Ｚ軸に略平行）は、第１縦部材５７の内面（第１縦部材５７の底面５７ｄｆ）に面し、第１縦部材５７に対して上下方向（Ｚ軸方向）に自由にスライドできる。同様に、該平板部材の互いに略平行な２の縁部のうち他の１の縁部６５ｃ２（Ｚ軸に略平行）は、第２縦部材５９の内面（第２縦部材５９の底面５９ｄｆ）に面し、第２縦部材５９に対して上下方向（Ｚ軸方向）に自由にスライドできる。このため前述の如く、外面６１ｆと表面５３ｆ１との間の隙間６２と、外面６３ｆと表面５３ｆ１との間の隙間６４と、に嵌まった状態で移動板６５は上下方向（Ｚ軸方向）に自由にスライドできるので、移動板６５は、固定板５３、第１縦部材５７及び第２縦部材５９に対して上下方向（Ｚ軸方向）にスライド自在に配設されている。
なお、一端立上部６５ａ１及び他端立上部６５ａ２と、一端垂下部５３ａ１及び他端垂下部５３ａ２と、は、固定板５３の表面５３ｆ１と、移動板６５の裏面と、が摺動する際、固定板５３に対する移動板６５の摺動を引っかかり等がなく円滑ならしめるものである。
【００３４】
横部材５５は、いわゆる「Ｌ字アングル」等と呼ばれる等辺山形鋼により形成され、その長手方向がＹ軸に略平行になるように第１縦部材５７と第２縦部材５９とに取り付けられている（溶接）。詳細には、図８に示すように、横部材５５の縁部分５５ｅ１、５５ｅ２それぞれが、第１縦部材５７の底面５７ｄｆと、第２縦部材５９の底面５９ｄｆと、に溶接されて取り付けられている。
【００３５】
ジャッキ７１は、ここではいわゆる手動のパンタグラフジャッキを用いており（特に、図３参照）、ジャッキ７１の上端は固定ネジ７２により横部材５５に取り付けられる（固定ネジ７２は、横部材５５の長手方向の略中心位置に設けられており、固定ネジ７２により該上端は横部材５５に着脱自在に取り付けられる。）と共に、下端７１ｂは移動板６５の下縁６５ｂ（ここでは下端７１ｂは下縁６５ｂに溶接により固定されている。）に取り付けられている（これにより移動板６５が上下方向（Ｚ軸方向）に支持される。）。
ジャッキ７１は、雄ネジ７１ｓの一端に形成された係合端７１ｓａに、後述の如く、ハンドル（不図示）を係合させ雄ネジ７１ｓを回転させることで、横部材５５に取り付けられた該上端と、移動板６５の下縁６５ｂに取り付けられた該下端７１ｂと、の間の距離を連続的に変化させることができる。このように雄ネジ７１ｓを回転させジャッキ７１を操作することにより、移動板６５を固定板５３、第１縦部材５７及び第２縦部材５９に対して上下方向（Ｚ軸方向）に移動させることができる。
【００３６】
連結部３１は、本体部５１（固定板５３の上部）に取り付けられる第１部３３と、取付部２１の棒状部材２５に取り付けられる第２部３５と、第１部３３と第２部３５とを回動自在（回動軸はＹ軸に略平行である。）に連結する回動部３７と、を含んでなり、蝶番として機能する。なお、ここでは第１部３３と第２部３５と回動部３７との組が、Ｙ軸方向に沿って複数（４個）配設されているが、全ての該組に関する回動軸が同一の直線（Ｙ軸に平行）に略存する。
このような連結部３１により、本体部５１は取付部２１に対し、Ｙ軸に平行な軸を中心として回動自在に支持される。これによって、本体部５１は、取付部２１が取り付けられたトラクタ本体１０１の前面において垂下した状態でＹ軸に平行な軸を中心として回動自在に支持される。
【００３７】
駆動部４１は、図２に示すように、シリンダー部４２（複動型を使用）と、シリンダー部４２に嵌入されるピストン部４３と、ピストン部４３を本体部５１（固定板５３）に取り付ける固定具４４と、を含んでなる。
シリンダー部４２に嵌入されるピストン部４３は、図示しない油圧ユニットから供給される駆動油がシリンダー部４２内部に注入されることで伸縮する。シリンダー部４２の基端４２ａは回動自在（該回動の軸はＹ軸に平行）にフレーム１２１に取り付けられると共に、ピストン部４３の先端４３ｃは固定具４４（本体部５１（固定板５３）に固定されている。）を介して本体部５１（固定板５３）に取り付けられているので（該先端４３ｃは固定具４４に対し、Ｙ軸に平行な回動軸の周りに回動自在に取り付けられている。）、シリンダー部４２に対してピストン部４３を伸縮させることで、フレーム１２１に対して本体部５１を連結部３１の回動部３７を中心に回動（Ｙ軸に平行な回動軸の周り）させることができる。
【００３８】
第２縦部材５９の前面には、図３に示すように、Ｚ軸方向に沿った目盛板５８が設けられている。目盛板５８には、第２縦部材５９の下端５９ｂから第２縦部材５９の長手方向に沿った距離が表示されている。従って、第１縦部材５７長手方向及び第２縦部材５９長手方向が鉛直方向になるようにすれば、第２縦部材５９の下端５９ｂからの移動板６５の下縁６５ｂの高さを目盛板５８により知ることができる。
後述のように、移動板６５の下縁６５ｂが、土表面に接触して移動することで土表面を均すので（接触部）、目盛板５８により下縁６５ｂの高さを知ると共に所望の高さに調節することができる。
【００３９】
次いで、本装置１１が農業用のトラクタ本体１０１に取り付けられた農業用のトラクタ２０１の使用方法について説明する。ここでは、図１３に示すように、稲作用の田４０１の土均し作業にトラクタ２０１を用いることを例として説明する。図１３は、田４０１の地面３０１に対して垂直上方向から見たところを示している。なお、図１３においては、図示及び理解を容易にするため、トラクタ本体１０１を単に長方形により示し（トラクタ本体１０１の構造の図示を省略する。）、本装置１１のうち移動板６５の下縁６５ｂを実線によって示す。
第１に、土均しを開始する位置に下縁６５ｂが位置するよう、トラクタ２０１を移動させる（図１３（ａ））。ここでは田４０１の縁４０３に近い部分に土が集まってやや高くなっている部分を均すため（かかる縁４０３に近い土を、田４０１の中心方向に移動させて均すことは、前進にて土を均す従来のトラクターでは難しかった。）、下縁６５ｂよりもトラクタ本体１０１側に該部分が位置するようにトラクタ２０１を移動させる。このトラクタ２０１の移動に際しては、図１に示すように本装置１１を後方に回動させ（第１縦部材５７の下端５７ｂと、第２縦部材５９の下端５９ｂと、を地面３０１から高く保つ。）、本装置１１が地面３０１に当接や衝突することで邪魔にならないようにする。
第２に、図示しない油圧ユニットから加圧された駆動油をシリンダー部４２内部に注入し、シリンダー部４２に嵌入されるピストン部４３を伸ばし、第１縦部材５７長手方向及び第２縦部材５９長手方向が鉛直方向になるように本装置１１を前方に回動させる。
【００４０】
第３に、図１４（図３と同様の位置から本装置１１を見たところを示している。）及び図１５（図１４のＦ−Ｆ断面図である。）に示すように、ジャッキ７１の係合端７１ｓａにハンドル７１ｈを係合させ雄ネジ７１ｓを回転させることで、移動板６５を上下方向（Ｚ軸方向）に移動させ、第２縦部材５９の下端５９ｂからの移動板６５の下縁６５ｂの高さを目盛板５８により確認しつつ、移動板６５の下縁６５ｂの高さを所望のものに調節する。なお、田４０１の縁４０３に近い部分に土が集まってやや高くなっている部分を均す場合は、下端５９ｂと下縁６５ｂとが略同じ高さになるように調整することが多い。
第４に、トラクタ本体１０１を後退（図１３（ａ）から図１３（ｂ）のようにトラクタ本体１０１を移動（図１３（ｂ）中の矢印Ｑ方向））させることで、移動板６５の下縁６５ｂにより、縁４０３に近い部分に高く集まった土を田４０１の中心方向に移動させて均すことができる。こうして図１３（ａ）から図１３（ｂ）のようにトラクタ本体１０１を後退（図１３（ｂ）中の矢印Ｑ方向）させることで、縁４０３に近い部分に高く集まった土を移動させ、高さが略一定の均し領域３０３（下縁６５ｂの通過跡）が形成される。
【００４１】
このように、トラクタ本体１０１が田４０１の中に存在する状態のまま、トラクタ本体１０１を後退させることにより、均すべき地面３０１の縁４０３に近い部分（例えば、田４０１の表面を土均しする場合であれば、縁４０３として形成された畦に近い部分）に高く集まった土を縁４０３から遠ざかる方向に移動させて均すことができる。
また、図１６に示すように、縁４０４ａと縁４０４ｂとが合わさる隅部分４０５には、土が集まって高くなることがあり、かかる隅部分４０５に高く集まった土も、本装置１１が農業用のトラクタ本体１０１に取り付けられた農業用のトラクタ２０１によれば田４０１の中心方向に移動させて容易に均すことができる（このような隅部分４０５に高く集まった土を、田４０１の中心方向に移動させて均すことは、前進にて土を均す従来のトラクターでは極めて難しかった。）。この隅部分４０５に高く集まった土を移動させ均す方法も、上述と同様に行うことができ、第１に、土均しを開始する位置に下縁６５ｂが位置するよう、トラクタ２０１を移動させ（図１６）、第２に、シリンダー部４２に嵌入されるピストン部４３を伸ばし、第１縦部材５７長手方向及び第２縦部材５９長手方向が鉛直方向になるように本装置１１を前方に回動させ、第３に、ジャッキ７１を操作し移動板６５の下縁６５ｂの高さを所望のものに調節し、そして第４に、トラクタ本体１０１を後退（図１６中の矢印Ｑ方向）させることで、移動板６５の下縁６５ｂにより隅部分４０５に高く集まった土を田４０１の中心方向に移動させて容易に均すことができる。
即ち、本装置１１がトラクタ本体１０１に取り付けられた農業用のトラクタ２０１によれば、本装置１１はトラクタ本体１０１の前部に取り付けられるので、トラクタ２０１の操作者は、トラクタ本体１０１の前方を見つつ、ハンドル操作を含め的確に操作することで、正確かつ迅速な土均しを可能ならしめる。そして、本装置１１を用いることで、前述の如く、縁４０３に近い部分や隅部分４０５に高く集まった土を縁４０３や隅部分４０５から遠ざかるように移動させることも容易かつ確実に行うことができることから、従来のトラクタでは難しかった縁４０３に近い部分や隅部分４０５に高く集まった土を含めた土均しを可能にする。
以上説明のようにトラクタ２０１により、縁４０３に近い部分や隅部分４０５を含めた地面３０１の土均しを行うことができる。また、上記の例では、第１縦部材５７長手方向及び第２縦部材５９長手方向が鉛直方向になるような本装置１１の回動位置としたが、該回動位置を調節することで移動板６５の下縁６５ｂの高さを調節してもよい。
【００４２】
以上説明の通り、本装置１１は、土表面（ここでは地面３０１）に沿って移動する移動体（ここでは農業用トラクタ本体１０１）に取り付けられ、土表面（地面３０１）に接触して移動することで土表面（地面３０１）を均す土均し装置であって、土表面（地面３０１）に接触する接触部（ここでは下縁６５ｂ）を有する接触手段（ここでは移動板６５）と、少なくとも２以上の土表面（地面３０１）に対する接触部（下縁６５ｂ）の高さにおいて接触手段（移動板６５）を支持する支持手段（ここでは移動可能支持部（固定板５３、第１縦部材５７、第２縦部材５９、第１ガイド部材６１、第２ガイド部材６３及び横部材５５により構成される。）と回動可能支持部（ここでは取付部２１及び連結部３１により構成される。）とを含む。）と、を備えてなる、土均し装置である。
【００４３】
本装置１１においては、支持手段（移動可能支持部（固定板５３、第１縦部材５７、第２縦部材５９、第１ガイド部材６１、第２ガイド部材６３及び横部材５５により構成される。）と回動可能支持部（ここでは取付部２１及び連結部３１により構成される。）とを含む。）は、接触部（下縁６５ｂ）の高さが変化するように移動体（農業用トラクタ本体１０１）に対して接触手段（移動板６５）を直線又は曲線（ここではＺ軸に略平行な直線）に沿って移動可能になるように接触手段（移動板６５）に接触して支持する移動可能支持部（ここでは固定板５３、第１縦部材５７、第２縦部材５９、第１ガイド部材６１、第２ガイド部材６３及び横部材５５により構成される。）を含んでなる。
【００４４】
本装置１１においては、接触手段（移動板６５）が、直線（ここではＹ軸に略平行）に略沿った縁部である第１縁部（ここでは下縁６５ｂ）を接触部として有してなる平板部材たる均し板（ここでは移動板６５）を含んでなり、移動可能支持部（固定板５３、第１縦部材５７、第２縦部材５９、第１ガイド部材６１、第２ガイド部材６３及び横部材５５）は、第１縁部（下縁６５ｂ）が略沿った該直線（Ｙ軸に略平行）に対して垂直方向への成分と、該平板部材の主表面に沿った方向への成分と、の両成分を有する方向（ここではＺ軸に略平行な方向）に均し板（移動板６５）をスライド自在に支持するものである。
【００４５】
本装置１１においては、均し板（移動板６５）が、互いに略平行な一対の第２縁部（縁部６５ｃ１）及び第３縁部（縁部６５ｃ２）を有してなり、移動可能支持部（固定板５３、第１縦部材５７、第２縦部材５９、第１ガイド部材６１、第２ガイド部材６３及び横部材５５）は、第２縁部（縁部６５ｃ１）をスライド自在に支持する一方部材（第１縦部材５７、第１ガイド部材６１及び固定板５３により構成される。）と、一方部材（第１縦部材５７、第１ガイド部材６１及び固定板５３）に対する第２縁部（縁部６５ｃ１）のスライド方向（Ｚ軸に略平行な方向）と略平行方向に第３縁部（縁部６５ｃ２）をスライド自在に支持する他方部材（第２縦部材５９、第２ガイド部材６３及び固定板５３により構成される。）と、一方部材（第１縦部材５７、第１ガイド部材６１及び固定板５３）と他方部材（第２縦部材５９、第２ガイド部材６３及び固定板５３）とを連結する連結部材（横部材５５）と、を含んでなるものである。
【００４６】
本装置１１においては、均し板（移動板６５）の主表面に対して垂直な方向（Ｘ軸に沿った方向）から見て、均し板（移動板６５）の主表面と少なくとも一部の主表面が重なるように移動可能支持部（固定板５３、第１縦部材５７、第２縦部材５９、第１ガイド部材６１、第２ガイド部材６３及び横部材５５）に直接的又は間接的に取り付けられるか又は移動可能支持部（固定板５３、第１縦部材５７、第２縦部材５９、第１ガイド部材６１、第２ガイド部材６３及び横部材５５）を構成する固定板５３（ここでは固定板５３は移動可能支持部を構成する要素である。）を有するものである。なお、固定板５３に形成された一端垂下部５３ａ１及び他端垂下部５３ａ２と、移動板６５に形成された一端立上部６５ａ１及び他端立上部６５ａ２と、のように、固定板５３に対して均し板（移動板６５）がスライド移動する方向に均し板（移動板６５）と固定板５３とのうち一方から他方に向かって突出する部分を設けることで、固定板５３に対する移動板６５の摺動を円滑ならしめることができる。かかる突出する部分は、均し板（移動板６５）と固定板５３とのうち一方から他方に向かって突出する部分のみを形成してもよいが、一方から他方に向かって突出する部分と、他方から一方に向かって突出する部分と、の両方を形成すれば摺動を一層円滑ならしめることができる。
本装置１１においては、接触手段（移動板６５）を前記直線又は前記曲線（ここではＺ軸に略平行な直線）に沿って移動させる駆動手段（ここではジャッキ７１）を有してなる。
本装置１１においては、駆動手段（ジャッキ７１）が手動ジャッキを含む。
本装置１１においては、移動可能支持部（固定板５３、第１縦部材５７、第２縦部材５９、第１ガイド部材６１、第２ガイド部材６３及び横部材５５）に対する接触部（下縁６５ｂ）の相対的位置を直接的又は間接的に示す位置表示手段（ここでは目盛板５８）を有するものである。
【００４７】
本装置１１においては、支持手段（移動可能支持部（固定板５３、第１縦部材５７、第２縦部材５９、第１ガイド部材６１、第２ガイド部材６３及び横部材５５により構成される。）と回動可能支持部（取付部２１及び連結部３１により構成される。）とを含む。）は、接触部（下縁６５ｂ）の土表面（地面３０１）からの高さが変化するように接触手段（移動板６５）を移動体（農業用トラクタ本体１０１）に対して回動可能に支持する回動可能支持部（ここでは取付部２１と連結部３１とにより構成される。）を含んでなる。
本装置１１においては、回動可能支持部（取付部２１、連結部３１）は、移動可能支持部（固定板５３、第１縦部材５７、第２縦部材５９、第１ガイド部材６１、第２ガイド部材６３及び横部材５５）を移動体（農業用トラクタ本体１０１）に対して回動可能に支持するものである。
【００４８】
本装置１１においては、接触部（下縁６５ｂ）が直線（ここではＹ軸に略平行）に略沿っており、回動可能支持部（取付部２１、連結部３１）が、接触部（下縁６５ｂ）が略沿う該直線に略平行な回動軸（Ｙ軸に略平行な回動部３７の回動軸）の周りに接触手段（移動板６５）を回動可能に支持するものである。
本装置１１においては、回動可能支持部（取付部２１、連結部３１）により回動可能に支持される接触手段（移動板６５）を回動させる回動手段（ここでは駆動部４１）を有してなる。
本装置１１においては、回動手段（駆動部４１）が伸縮装置（シリンダー部４２と、シリンダー部４２に嵌入されるピストン部４３と、により構成される。）を含む。
【００４９】
本装置１１においては、本装置１１が取り付けられる前記移動体（農業用トラクタ本体１０１）が農業用トラクター本体である。
本装置１１においては、前記移動体（農業用トラクタ本体１０１）が前後移動可能なものであり、本装置１１と、本装置１１が前方に取り付けられた前記移動体（農業用トラクタ本体１０１）と、を含んでなる、本移動体（ここでは農業用のトラクタ２０１）を構成する。
そして、ここでは前記移動体（農業用トラクタ本体１０１）が、前方を目視する運転者により操作されるものであり、接触部（下縁６５ｂ）を土表面（地面３０１）に接触させた状態で、移動体（農業用トラクタ本体１０１）を後進させるものである、本移動体（農業用のトラクタ２０１）を用いた土均し方法も可能である。
【符号の説明】
【００５０】
１１       本装置
２１       取付部
２３       等辺山形鋼
２５       棒状部材
３１       連結部
３３       第１部
３５       第２部
３７       回動部
４１       駆動部
４２       シリンダー部
４２ａ     基端
４３       ピストン部
４３ｃ     先端
４４       固定具
５１       本体部
５３       固定板
５３ａ１   一端垂下部
５３ａ２   他端垂下部
５３ｃ１   縁部
５３ｃ２   縁部
５３ｅ     切欠部分
５３ｆ１   表面
５３ｆ２   裏面
５５       横部材
５５ｅ１、５５ｅ２  縁部分
５７       第１縦部材
５７ａ     上端
５７ｂ     下端
５７ｄ     溝
５７ｄｆ   底面
５７ｐ１   底部材
５７ｐ２   第１側部材
５７ｐ２ｓ 第１表面
５７ｐ３   第２側部材
５７ｐ３ｓ 第２表面
５８       目盛板
５９       第２縦部材
５９ａ     上端
５９ｂ     下端
５９ｄ     溝
５９ｄｆ   底面
５９ｐ１   底部材
５９ｐ２   第１側部材
５９ｐ２ｓ 第１表面
５９ｐ３   第２側部材
５９ｐ３ｓ 第２表面
６１       第１ガイド部材
６１ｆ     外面
６２       隙間
６３       第２ガイド部材
６３ｆ     外面
６４       隙間
６５       移動板
６５ａ１   一端立上部
６５ａ２   他端立上部
６５ｂ     下縁
６５ｃ１   縁部
６５ｃ２   縁部
６５ｅ     切欠部分
７１       ジャッキ
７１ｂ     下端
７１ｈ     ハンドル
７１ｓ     雄ネジ
７１ｓａ   係合端
７２       固定ネジ
８１       開口
１０１       トラクタ本体（農業用）
１０３       前輪
１０５       後輪
１０７       車体
１０９       座席
１１３       エンジン収納部
１１５       ハンドル
１１７       ペダル
１１９       レバー
１２１       フレーム
１２１ａ     前端
２０１       トラクタ（農業用）
３０１       地面
３０３       均し領域
４０１       田
４０３       縁
４０４ａ、４０４ｂ  縁
４０５       隅部分
【図１】
0006959620.tif 000002
【図２】
0006959620.tif 000003
【図３】
0006959620.tif 000004
【図４】
0006959620.tif 000005
【図５】
0006959620.tif 000006
【図６】
0006959620.tif 000007
【図７】
0006959620.tif 000008
【図８】
0006959620.tif 000009
【図９】
0006959620.tif 000010
【図１０】
0006959620.tif 000011
【図１１】
0006959620.tif 000012
【図１２】
0006959620.tif 000013
【図１３】
0006959620.tif 000014
【図１４】
0006959620.tif 000015
【図１５】
0006959620.tif 000016
【図１６】
0006959620.tif 000017